(57)【要約】【課題】奥行き情報の生成に関する制約の影響を回避又は低減し、奥行き情報を生成できる情報処理装置を提供することである。【解決手段】実施形態の情報処理装置は、生成手段と、記録手段とを備える。前記生成手段は、コンテンツの再生前に、前記コンテンツの第１の奥行き情報を生成する。前記コンテンツ及び前記第１の奥行き情報を記録する。【選択図】図１
2014011474.tif 000002
【特許請求の範囲】
【請求項１】
コンテンツの再生前に、前記コンテンツの第１の奥行き情報を生成する生成手段と、
前記コンテンツ及び前記第１の奥行き情報を記録する記録手段と、
を備える情報処理装置。
【請求項２】
前記生成手段は、前記コンテンツの記録中に、前記第１の奥行き情報の生成を開始する請求項１の情報処理装置。
【請求項３】
前記生成手段は、前記コンテンツの記録後に、前記第１の奥行き情報より高度な第２の奥行き情報の生成を開始し、
前記記録手段は、前記第２の奥行き情報を記録する請求項２の情報処理装置。
【請求項４】
前記記録手段は、前記１の奥行き情報に替えて、前記第２の奥行き情報を記録する請求項３の情報処理装置。
【請求項５】
前記記録手段は、前記コンテンツの記録に対応して付与する記録識別情報に基づき前記コンテンツ及び前記第１の奥行き情報を対応付け、また、前記記録識別情報に基づき前記コンテンツ及び前記第２の奥行き情報を対応付ける請求項３又は４の情報処理装置。
【請求項６】
前記第１の奥行き情報の記録後の前記コンテンツの再生指示に対応して、前記第１の奥行き情報に基づき前記コンテンツを再生する再生手段を備えた請求項１又は２の情報処理装置。
【請求項７】
前記生成手段は、前記第１の奥行き情報の記録前の前記コンテンツの再生指示に対応して、前記コンテンツの再生中に、前記第１の奥行き情報より簡易な第３の奥行き情報の生成を開始し、
前記再生手段は、前記第１の奥行き情報の記録前の前記コンテンツの前記再生指示に対応して、前記第３の奥行き情報に基づき前記コンテンツを再生する請求項６の情報処理装置。
【請求項８】
前記再生手段は、前記第１又は３の奥行き情報に基づき前記コンテンツの２次元映像を３次元映像へ変換し、前記３次元映像を再生する請求項７の情報処理装置。
【請求項９】
前記第２の奥行き情報の記録後の前記コンテンツの再生指示に対応して、前記第２の奥行き情報に基づき前記コンテンツを再生する再生手段を備えた請求項３又は４の情報処理装置。
【請求項１０】
前記生成手段は、前記第１の奥行き情報の記録前の前記コンテンツの再生指示に対応して、前記コンテンツの再生中に、前記第１の奥行き情報より簡易な第３の奥行き情報の生成を開始し、
前記再生手段は、前記第１の奥行き情報の記録前の前記コンテンツの前記再生指示に対応して、前記第３の奥行き情報に基づき前記コンテンツを再生する請求項９の情報処理装置。
【請求項１１】
前記再生手段は、前記第２又は３の奥行き情報に基づき前記コンテンツの２次元映像を３次元映像へ変換し、前記３次元映像を再生する請求項１０の情報処理装置。
【請求項１２】
前記コンテンツ及び前記第２の奥行き情報の記録完了後、前記コンテンツの記録に関する記録情報を出力する出力手段を備え、
前記出力手段は、前記第２の奥行き情報に基づく前記コンテンツの高品位再生が可能であることを示す付加情報を含む記録情報を出力する請求項３の情報処理装置。
【請求項１３】
前記コンテンツに基づき前記第２の奥行き情報の生成所要時間を検出する検出手段と、
前記生成所要時間に基づき、前記第２の奥行き情報に基づく前記コンテンツの高品位再生が可能となる時間情報を出力する出力手段と、
を備える請求項３の情報処理装置。
【請求項１４】
コンテンツの再生前に、前記コンテンツの第１の奥行き情報を生成し、
前記コンテンツ及び前記第１の奥行き情報を記録する情報処理方法。
【発明の詳細な説明】
【技術分野】
【０００１】
本発明の実施形態は、情報処理装置及び情報処理方法に関する。
【背景技術】
【０００２】
これまでに、３次元映像を表示するための様々な技術が提案され、実用化されている。３次元映像を表示可能なテレビ（以下、立体視ＴＶ）は、入力される３次元コンテンツに基づき３次元映像を表示する。或いは、立体視ＴＶは、入力される２次元コンテンツに基づき、奥行き情報を生成し、この奥行き情報に基づき２次元映像を３次元映像へ変換し、変換された３次元映像を出力する。
【先行技術文献】
【特許文献】
【０００３】
【特許文献１】特開２００４−２００７８４号公報
【発明の概要】
【発明が解決しようとする課題】
【０００４】
生成された奥行き情報に基づき３次元映像を出力する場合、コンテンツの再生に同期するためのリアルタイム性を確保するため、奥行き情報の生成には時間的制約が課される。また、ＣＰＵの性能及びメモリの容量から、奥行き情報の生成にはリソース的制約も課される。従って、精度の高い奥行き情報を作成することは容易ではない。奥行き情報の生成に各種の制限が課されることにより、ユーザが満足する高品位な３次元映像を提供することは容易ではない。
【０００５】
本発明の目的は、奥行き情報の生成に関する制約の影響を回避又は低減し、奥行き情報を生成できる情報処理装置及び情報処理方法を提供することである。
【課題を解決するための手段】
【０００６】
実施形態の情報処理装置は、生成手段と、記録手段とを備える。前記生成手段は、コンテンツの再生前に、前記コンテンツの第１の奥行き情報を生成する。前記コンテンツ及び前記第１の奥行き情報を記録する。
【図面の簡単な説明】
【０００７】
【図１】実施形態に係る情報処理装置の概略構成の一例を示す図である。
【図２】実施形態に係る各種デプスマップの生成処理及び記録処理、並びに各種デプスマップに基づく３次元映像の再生処理の一例を示すフローチャートである。
【図３】実施形態に係る各種デプスマップの生成処理及び記録処理、並びに各種デプスマップに基づく３次元映像の再生処理の一例を示すブロック図である。
【図４】実施形態に係るコンテンツ記録リストの表示例を示す図である。
【発明を実施するための形態】
【０００８】
以下、実施形態について図面を参照して説明する。
【０００９】
図１は、実施形態に係る情報処理装置の概略構成の一例を示す図である。情報処理装置１００は、記録又は再生対象のコンテンツに含まれる２次元映像の解像度、及び前記２次元映像の奥行きを推定する各種の推定アルゴリズム等に基づき、奥行き情報（デプスマップ）を生成し、生成したデプスマップに基づき前記２次元映像を３次元映像へ変換し、前記３次元映像を出力（表示）する。記録又は再生対象のコンテンツは、動画コンテンツ、静止画コンテンツ、動画と静止画の混在コンテンツの何れでもよい。
【００１０】
図１に示すように情報処理装置１００は、制御部１、コンテンツ取得部２、コンテンツ記録部３、デプスマップ生成部４、デプスマップ記録部５、３次元映像変換部６、３次元映像表示部７を備える。なお、コンテンツ記録部３とデプスマップ記録部５は、別々の構成でなくてもよい。
【００１１】
例えば、情報処理装置１００がデジタルＴＶ又はデジタルレコーダの場合、コンテンツ取得部２は、放送コンテンツを受信する受信部を含む構成であってもよい。また、コンテンツ取得部２は、ネットワーク配信コンテンツをダウンロードする通信部を含む構成であってもよい。また、コンテンツ取得部２は、各種メディアからパッケージコンテンツを読み取る読取部を含む構成であってもよい。
【００１２】
また、情報処理装置１００がデジタルレコーダの場合、３次元映像表示部７は必須の構成ではなく、３次元映像表示部７に替えて３次元映像出力部を備える構成とする。
【００１３】
（第１の実施形態）
情報処理装置１００のコンテンツ取得部２は、放送コンテンツ又はネットワーク配信コンテンツを受信し、デプスマップ生成部４は、予め（前記コンテンツの再生前に）、前記コンテンツの第１の奥行き情報（以下、第１の高品位デプスマップ）を生成し、コンテンツ記録部３が、前記コンテンツを記録し、デプスマップ記録部５が、第１の高品位デプスマップを記録する。例えば、デプスマップ生成部４は、前記コンテンツの記録中に、前記第１のデプスマップの生成を開始する。つまり、前記コンテンツの記録処理と並行して、第１のデプスマップは生成される。なお、デプスマップ生成部４は、コンテンツの記録処理中に、前記第１のデプスマップの生成を開始するが、コンテンツの記録終了と同時に、前記第１のデプスマップの生成を終了する程度に、前記第１のデプスマップの計算処理を実行してもよいし、コンテンツの記録終了後、前記第１のデプスマップの生成が所定時間継続する程度に、前記第１のデプスマップの計算処理を実行してもよい。
【００１４】
例えば、第１の高品位デプスマップは、前記コンテンツの再生中に生成が開始される第３の奥行き情報（以下、標準デプスマップ）よりも高品位な３次元映像を生成することができる。第１の高品位デプスマップは、前記コンテンツの再生前且つ前記コンテンツの記録中に生成が開始されるため、前記コンテンツの再生と並行して生成される標準デプスマップよりも、マップの生成において時間的な制約及びリソース的な制約を受け難い。このため、第１の高品位デプスマップは、標準デプスマップよりも、負荷の高い計算及び長い時間を費やして生成することができる。結果的に、第１の高品位デプスマップは、標準デプスマップよりも、高品位な３次元映像を生成することができる。
【００１５】
上記したように、情報処理装置１００は、前記コンテンツを記録しながら、前記コンテンツに基づき第１の高品位デプスマップを生成し、生成した第１の高品位デプスマップを記録する。コンテンツ記録部３は、前記コンテンツに含まれる２次元映像を復号化し、記録フォーマットに変換し、記録フォーマットに変換された２次元映像を記録する。デプスマップ生成部４は、前記コンテンツの記録処理において実行された各種画像処理の結果を利用し、前記２次元映像に対応する第１の高品位デプスマップを生成することができる。つまり、記録処理とデプスマップの生成処理とを別々に実施する場合に比べて、記録処理とデプスマップの生成処理とを並行に実施することにより、デプスマップの生成処理の効率化を図ることができる。なお、前記コンテンツの記録処理は、前記コンテンツの再生処理に比べて、処理負荷は軽い。従って、コンテンツを再生しながらデプスマップ（標準デプスマップ）を生成するより、コンテンツを記録しながらデプスマップ（第１の高品位デプスマップ）を生成する方が、処理負荷は軽い。
【００１６】
さらに、情報処理装置１００は、前記コンテンツを記録し、第１の高品位デプスマップも記録した後、記録コンテンツに基づき第２の高品位デプスマップを生成し、生成した第２の高品位デプスマップを記録するようにしてもよい。情報処理装置１００は、リソースが許す範囲で、第１の高品位デプスマップの生成時に使用したパラメータ(映像の解像度、推定アルゴリズム)よりも高度なパラメータを用いて、第２の高品位デプスマップを生成することができる。例えば、デプスマップ生成部４は、指定時間帯（深夜など）に、第２の高品位デプスマップを生成し、デプスマップ記録部５は、指定時間帯に、第２の高品位デプスマップを記録することができる
第２の高品位デプスマップは、前記コンテンツの記録中に生成が開始される第１の高品位デプスマップよりも高品位な３次元映像を生成することができる。第２の高品位デプスマップは、前記コンテンツの再生前且つ前記コンテンツの記録後に生成が開始されるため、前記コンテンツの記録中に生成が開始される第１の高品位デプスマップよりも、リソース的な制約を受け難い。このため、第２の高品位デプスマップは、第１の高品位デプスマップよりも、負荷の高い計算により生成することができる。結果的に、第２の高品位デプスマップは、第２のデプスマップよりも、高品位な３次元映像を生成することができる。
【００１７】
なお、第１の高品位デプスマップに置き換えて、第２の高品位デプスマップを記録するようにしてもよい。情報処理装置１００は、第１の高品位デプスマップを削除せずに、管理上、第１の高品位デプスマップを第２の高品位デプスマップへ置き換えてもよいし、第１の高品位デプスマップを削除し、第１の高品位デプスマップを第２の高品位デプスマップへ置き換えてもよい。
【００１８】
図２及び図３を参照し、デプスマップの生成処理及び記録処理、並びにデプスマップに基づく３次元映像の再生処理の一例について説明する。
【００１９】
図２に示すように、情報処理装置１００のコンテンツ記録部３は、記録対象のコンテンツを記録する。なお、コンテンツ記録部３は、コンテンツ記録識別情報（例えばＩＤ１００１）とともに前記コンテンツを記録する。前記コンテンツの記録中に(ＳＴ１１〜ＳＴ１４)、デプスマップ生成部４は、第１のデプス推定パラメータに基づき、記録対象の前記コンテンツに含まれた２次元映像から、リアルタイム処理で第１の高品位デプスマップの生成を開始し(ＳＴ１２)、デプスマップ記録部５は、ＩＤ１００１と第１の高品位デプスマップとを対応付けて、第１の高品位デプスマップを記録する(ＳＴ１３)。つまり、ＩＤ１００１により２次元映像と第１の高品位デプスマップとが対応付けられる。
【００２０】
さらに、前記コンテンツ及び第１の高品位デプスマップの記録後に、デプスマップ生成部４は、第１のデプス推定パラメータより高度な第２のデプス推定パラメータに基づき、記録された前記コンテンツに含まれた２次元映像から、第２の高品位デプスマップの生成を開始し(ＳＴ１５、１６)、デプスマップ記録部５は、ＩＤ１００１と第２の高品位デプスマップとを対応付けて、第２の高品位デプスマップを記録する。例えば、デプスマップ記録部５は、第１の高品位デプスマップに替えて第２の高品位デプスマップを記録する(ＳＴ１７)。
【００２１】
このように、情報処理装置１００は、ユーザが前記コンテンツを視聴する前に、前記コンテンツの記録中に、前記コンテンツに含まれた２次元映像に対応した第１の高品位デプスマップの生成を開始し、生成した第１の高品位デプスマップを記録する。さらに、情報処理装置１００は、ユーザが前記コンテンツを視聴する前で、且つ前記コンテンツの記録後（第１の高品位デプスマップの記録後）に、前記コンテンツに含まれた２次元映像に対応した第２の高品位デプスマップの生成を開始し、生成した第２の高品位デプスマップを記録する。
【００２２】
情報処理装置１００は、ユーザからの前記コンテンツの再生指示（３次元映像の再生指示）を受け取り(ＳＴ１８、ＹＥＳ)、制御部１は、前記コンテンツのＩＤ１００１から、ＩＤ１００１に対応付けられた第１の高品位デプスマップを検索する。例えば、再生指示が、第１の高品位デプスマップの記録後で且つ第２の高品位デプスマップの記録前であれば、制御部１は、ＩＤ１００１に対応付けられた第１の高品位デプスマップを検出することができ（第２の高品位デプスマップは見つからない）(ＳＴ１９、ＹＥＳ)、デプスマップ生成部４は、第１の高品位デプスマップを読み出し(ＳＴ２０)、３次元映像変換部６は、第１の高品位デプスマップに基づき、記録されたコンテンツに含まれた２次元映像を３次元映像へ変換し(ＳＴ２１)、３次元映像表示部７は、変換された３次元映像を出力（表示）する(ＳＴ２２)（図３のＳＴ３３→ＳＴ３４→ＳＴ３５）。
【００２３】
例えば、再生指示が、第２の高品位デプスマップの記録後であれば、制御部１は、前記コンテンツのＩＤ１００１から、ＩＤ１００１に対応付けられた第２の高品位デプスマップを検出することができ(ＳＴ１９、ＹＥＳ)、デプスマップ生成部４は、第２の高品位デプスマップを読み出し(ＳＴ２０)、３次元映像変換部６は、第２の高品位デプスマップに基づき、前記コンテンツに含まれた２次元映像を３次元映像へ変換し(ＳＴ２１)、３次元映像表示部７は、変換された３次元映像を出力（表示）する(ＳＴ２２)（図３のＳＴ３６→ＳＴ３７→ＳＴ３８）。
【００２４】
また、情報処理装置１００が、ユーザからの前記コンテンツの再生指示（３次元映像の再生指示）を受け取ったが(ＳＴ１８、ＹＥＳ)、第１及び第２の高品位デプスマップの何れも記録されていなければ(ＳＴ１９、ＮＯ)、デプスマップ生成部４は、コンテンツの再生処理と並行するリアルタイム処理で、前記コンテンツに含まれた２次元映像から標準デプスマップ（第１の高品位デプスマップより簡易な標準デプスマップ）を生成し(ＳＴ２３)、３次元映像変換部６は、標準デプスマップに基づき、前記コンテンツに含まれた２次元映像を３次元映像へ変換し(ＳＴ２１)、３次元映像表示部７は、変換された３次元映像を出力（表示）する(ＳＴ２２)（図３のＳＴ３１→ＳＴ３２→ＳＴ３３）。
【００２５】
また、情報処理装置１００は、ユーザからの前記コンテンツの再生指示（２次元映像の再生指示）を受け取った場合(ＳＴ１８、ＮＯ)、そのままコンテンツに含まれた２次元映像を出力（表示）する。
【００２６】
また、情報処理装置１００が、第１の高品位デプスマップと第２の高品位デプスマップとを記録し、例えばユーザからの第１の高品位再生の指示を受け取った場合に、第１の高品位デプスマップに基づき、前記コンテンツに含まれる２次元映像を３次元映像へ変換し、変換した３次元映像を出力し、また、ユーザからの第２の高品位再生の指示を受け取った場合に、第２の高品位デプスマップに基づき、前記コンテンツに含まれる２次元映像を３次元映像へ変換し、変換した３次元映像を出力するようにしてもよい。
【００２７】
さらに、情報処理装置１００が、第１の高品位デプスマップと第２の高品位デプスマップに加えて、標準デプスマップも記録し、例えばユーザからの標準再生の指示を受け取った場合に、記録済みの標準デプスマップに基づき、前記コンテンツに含まれる２次元映像を３次元映像へ変換し、変換した３次元映像を出力するようにしてもよい。
【００２８】
また、図４に示すように、コンテンツ記録情報（以下、コンテンツ記録リスト）に、第１のサービス情報Ｓ１（付加情報）及び第２のサービス情報Ｓ２（付加情報）を含め、コンテンツが高品位再生可能な状態か否か、又はコンテンツが高品位再生可能となるのはいつか分かるようにしてもよい。制御部１は、ユーザからのコンテンツ記録リストの表示指示に対応して、コンテンツ記録リストの表示を制御し、これに対応して、３次元映像表示部７は、コンテンツ記録リストを表示する。
【００２９】
第１のサービス情報Ｓ１は、コンテンツＡに対応する第２の高品位デプスマップが記録されていることを示す。つまり、コンテンツＡが、第２の高品位デプスマップで処理された３次元映像として再生できることを示す。これにより、ユーザは、第１のサービス情報Ｓ１が付加されたコンテンツは、高品位な３次元映像で視聴できることが分かる。例えば、ユーザが、コンテンツ記録リストからコンテンツＡの再生を指示すると、コンテンツＡは、第２の高品位デプスマップで処理された３次元映像として再生される。
【００３０】
また、第２のサービス情報Ｓ２は、コンテンツＢに対応する第２の高品位デプスマップが記録されるまでの残り時間（又は第２の高品位デプスマップの記録が完了する日時）を示す。デプスマップ生成部４は、コンテンツＢに対応する第２の高品位デプスマップを生成する際、コンテンツＢに含まれた２次元映像と第２の高品位デプスマップの生成用のパラメータとから、第２の高品位デプスマップの生成所要時間を検出することができ、制御部１は、検出された生成所要時間から、第２の高品位デプスマップが記録されるまでの残り時間（又は第２の高品位デプスマップの記録が完了する日時）を算出し、第２のサービス情報Ｓ２を含むコンテンツ記録リストの表示を制御する。これに対応して、３次元映像表示部７は、コンテンツ記録リストを表示する。例えば、ユーザが、コンテンツ記録リストからコンテンツＢの再生予約を指示すると、コンテンツＢが第２の高品位デプスマップに基づき再生可能となると、コンテンツＢは、第２の高品位デプスマップで処理された３次元映像として再生される。
【００３１】
なお、複数台の情報処理装置１００で、第１又は第２の高品位デプスマップを共有できないようにすることもできる。説明を分かり易くするために、例えば、情報処理装置１００ａと、情報処理装置１００ｂを想定する。
【００３２】
上記説明したように、情報処理装置１００ａは、コンテンツを記録する場合、例えば、コンテンツ記録識別情報（例えばＩＤ１００ａ１）とともに前記コンテンツを記録する。また、情報処理装置１００ａは、このＩＤ１００ａ１により前記コンテンツと第１の高品位デプスマップとを対応付ける。さらには、情報処理装置１００ａは、このＩＤ１００ａ１により前記コンテンツと第２の高品位デプスマップとを対応付ける。
【００３３】
同様に、情報処理装置１００ｂは、上記と同じコンテンツを記録する場合、例えば、コンテンツ記録識別情報（例えばＩＤ１００ｂ１）とともに前記コンテンツを記録する。また、情報処理装置１００ｂは、このＩＤ１００ｂ１により前記コンテンツと第１の高品位デプスマップとを対応付ける。さらには、情報処理装置１００ｂは、このＩＤ１００ｂ１により前記コンテンツと第２の高品位デプスマップとを対応付ける。
【００３４】
つまり、情報処理装置１００ａと１００ｂが、同じコンテンツを記録しても、情報処理装置１００ａは、ＩＤ１００ａ１で前記コンテンツと第１及び第２の高品位デプスマップとを対応付けるが、情報処理装置１００ｂは、ＩＤ１００ｂ１で前記コンテンツと第１及び第２の高品位デプスマップとを対応付ける。
【００３５】
これにより、情報処理装置１００ｂが、前記コンテンツを記録し、第１及び第２の高品位デプスマップを記録していない状態で、情報処理装置１００ａからＩＤ１００ａ１で管理されている第１又は第２の高品位デプスマップを受け取ったとしても、情報処理装置１００ｂで記録されているコンテンツはＩＤ１００ｂ１で管理されているため、ＩＤ１００ａ１で管理されている第１又は第２の高品位デプスマップを利用することはできない。
【００３６】
（第２の実施形態）
情報処理装置１００は、放送コンテンツ又はネットワーク配信コンテンツを受信し、さらに、受信コンテンツに対応した標準デプスマップ、第１の高品位デプスマップ、又は第２の高品位デプスマップも受信し、受信した標準デプスマップ、第１の高品位デプスマップ、又は第２の高品位デプスマップに基づき、受信コンテンツに含まれる２次元映像を３次元映像へ変換し、表示することもできる。また、情報処理装置１００は、受信した標準デプスマップ、第１の高品位デプスマップ、又は第２の高品位デプスマップを記録することもできる。
【００３７】
さらに、デプスマップの利用に料金の支払いが必要な場合には、情報処理装置１００は、デプスマップ利用のための支払処理を実行し、標準デプスマップ、第１の高品位デプスマップ、又は第２の高品位デプスマップも受信する。また、デプスマップの一時的な利用よりも高い料金を支払うことにより、デプスマップの記録が許される場合には、情報処理装置１００は、デプスマップ記録のための支払処理を実行し、標準デプスマップ、第１の高品位デプスマップ、又は第２の高品位デプスマップも受信する。
【００３８】
情報処理装置１００は、コンテンツの放送前又は配信前に、予め標準デプスマップ、第１の高品位デプスマップ、又は第２の高品位デプスマップを受信しておくこともできるし、コンテンツの放送中又は配信中に、標準デプスマップ、第１の高品位デプスマップ、又は第２の高品位デプスマップを受信することもできるし、コンテンツの記録後に、標準デプスマップ、第１の高品位デプスマップ、又は第２の高品位デプスマップを受信することもできる。何れのケースでも、デプスマップの生成作業は生じないため、デプスマップの生成のための待ち時間は生じない。
【００３９】
受信デプスマップは、チャンネル情報及び放送時間帯等の管理情報を含み、受信コンテンツも、同様にチャンネル情報及び放送時間帯等の管理情報を含む。情報処理装置１００は、受信コンテンツの管理情報と受信デプスマップの管理情報とに基づき、受信コンテンツと受信デプスマップとを対応付けて、受信デプスマップに基づき受信コンテンツに含まれた２次元映像を３次元映像へ変換し、３次元映像を表示する。
【００４０】
なお、受信デプスマップが、ＣＭに対応する２次元映像の表示期間についてデプスパラメータ０を含む場合、情報処理装置１００は、この受信デプスマップに基づき、コンテンツ中のＣＭを実質的に２次元映像として表示する。
【００４１】
（第３の実施形態）
情報処理装置１００は、各種メディアからパッケージコンテンツを読み取り、第１の実施形態で説明したように、読取コンテンツに対応した標準デプスマップ、第１の高品位デプスマップ、又は第２の高品位デプスマップを生成し、生成したデプスマップに基づき、パッケージコンテンツに含まれた２次元映像を３次元映像へ変換し、変換された３次元映像を表示することもできる。
【００４２】
或いは、情報処理装置１００は、各種メディアからパッケージコンテンツを読み取り、第２の実施形態で説明したように、読取コンテンツに対応した標準デプスマップ、第１の高品位デプスマップ、又は第２の高品位デプスマップを受信し、受信したデプスマップに基づき、パッケージコンテンツに含まれた２次元映像を３次元映像へ変換し、変換された３次元映像を表示することもできる。
【００４３】
（第４の実施形態）
情報処理装置１００は、画像サイト（例えば動画サイト）からコンテンツを受信し、第１の実施形態で説明したように、受信コンテンツに対応する標準デプスマップ、第１の高品位デプスマップ、又は第２の高品位デプスマップを生成し、生成したデプスマップに基づき、受信コンテンツに含まれた２次元映像を３次元映像へ変換し、変換された３次元映像を表示することもできる。
【００４４】
或いは、情報処理装置１００は、画像サイト（例えば動画サイト）からコンテンツを受信し、第２の実施形態で説明したように、受信コンテンツに対応した標準デプスマップ、第１の高品位デプスマップ、又は第２の高品位デプスマップを受信し、受信したデプスマップに基づき、受信コンテンツに含まれた２次元映像を３次元映像へ変換し、変換された３次元映像を表示することもできる。
【００４５】
（第５の実施形態）
情報処理装置１００は、予め外部メディアに記録されたコンテンツの２次元映像に対応した標準デプスマップ、第１の高品位デプスマップ、又は第２の高品位デプスマップを生成し、外部メディアのＩＤと生成したデプスマップのＩＤとを対応付けて管理する。或いは、情報処理装置１００は、外部メディアに記録されたコンテンツのＩＤと生成したデプスマップのＩＤとを対応付けて管理する。情報処理装置１００は、ユーザから外部メディアの再生指示を受け取ると、外部メディアのＩＤと生成したデプスマップのＩＤから、生成したデプスマップを読み出して、読み出したデプスマップに基づき、外部メディアに記録されたコンテンツの２次元映像を３次元映像へ変換し、変換した３次元映像を表示する。或いは、情報処理装置１００は、ユーザから外部メディアに記録されたコンテンツの再生指示を受け取ると、外部メディアに記録されたコンテンツのＩＤと生成したデプスマップのＩＤから、生成したデプスマップを読み出して、読み出したデプスマップに基づき、外部メディアに記録されたコンテンツの２次元映像を３次元映像へ変換し、変換した３次元映像を表示する。
【００４６】
（第６の実施形態）
情報処理装置１００は、ユーザからのデプスマップ生成指示に対応して、ユーザが指定したコンテンツに対応した標準デプスマップ、第１の高品位デプスマップ、又は第２の高品位デプスマップを生成し、生成したデプスマップを記録する。これにより、ユーザが、指定したコンテンツに対応したデプスマップを残すことができる。
【００４７】
上記説明した少なくとも一つの実施形態によれば、情報処理装置１００は、時間的制約及びリソース的制約を回避し、元映像と同等の解像度で複数の推定アルゴリズムを用いたデプスマップの作成が可能となる。これにより、ユーザは、適切な(より高精細な、より実体に近い)３次元映像を視聴できる。
【００４８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４９】
１…制御部、２…コンテンツ取得部、３…コンテンツ記録部、４…デプスマップ生成部、５…デプスマップ記録部、６…３次元映像変換部、７…３次元映像表示部、１００…情報処理装置
【図１】
2014011474.tif 000003
【図２】
2014011474.tif 000004
【図３】
2014011474.tif 000005
【図４】
2014011474.tif 000006